(57)【要約】【課題】商品選択ボタンを透明板の背面側から支持する支持部材の製造コストを低減することのできる自動販売機を提供する。【解決手段】各商品選択ボタン１４を透明板１３の背面側から支持する支持部材１５は自動販売機本体１の幅方向に連結された複数の構成部材６０，７０，８０から形成されているので、構成部材６０，７０，８０の数量を増減することにより、支持部材１５が自動販売機本体１の幅方向任意の寸法に形成される。このため、展示室１０のサイズに応じてそれぞれ支持部材１５を製造する必要がなく、支持部材１５の製造コストを低減することができる。【選択図】図４
2007233548.tif 000002
【特許請求の範囲】
【請求項１】
自動販売機本体の前面を開閉する外扉と、外扉の前面側に商品サンプルを展示する展示室と、展示室の前面に設けられた透明板と、透明板の前面側に自動販売機本体の幅方向に並ぶように設けられた複数の商品選択ボタンと、各商品選択ボタンに沿って自動販売機本体の幅方向に延びるように設けられ、各商品選択ボタンを透明板の背面側から支持する支持部材とを備えた自動販売機において、
前記支持部材を、互いに自動販売機本体の幅方向に連結された複数の構成部材から形成した
ことを特徴とする自動販売機。
【請求項２】
前記各構成部材を、連結している端部同士が互いに上下方向に係止するように形成した
ことを特徴とする請求項１記載の自動販売機。
【請求項３】
前記各構成部材を、連結している端部同士が互いに自動販売機本体の前後方向に係止するように形成した
ことを特徴とする請求項１または２記載の自動販売機。
【請求項４】
前記支持部材を、自動販売機本体の幅方向一端側に配置された第１構成部材と、自動販売機本体の幅方向他端側に配置された第２構成部材と、第１構成部材と第２構成部材との間に任意の数だけ配置された第３構成部材とから構成した
ことを特徴とする請求項１、２または３記載の自動販売機。
【請求項５】
前記支持部材を自動販売機本体の背面側から透明板に取付けるためのボルトを備え、
各構成部材の端部同士が互いに自動販売機本体の前後方向に重なり合うとともに、重なり合っている端部同士がボルトの押圧によって連結するように構成した
ことを特徴とする請求項１、２、３または４記載の自動販売機。
【発明の詳細な説明】
【技術分野】
【０００１】
本発明は、商品サンプルを展示する展示室の透明板に商品選択ボタンが設けられた自動販売機に関するものである。
【背景技術】
【０００２】
従来、この種の自動販売機としては、前面を開口した自動販売機本体と、自動販売機本体の前面の開口部を開閉する外扉と、外扉の前面側に設けられ、商品サンプルを展示する展示室と、展示室の前面に設けられた透明板と、透明板の前面側に自動販売機本体の幅方向に並ぶように設けられた複数の商品選択ボタンと、各商品選択ボタンに沿って自動販売機本体の幅方向に延びるように設けられ、各商品選択ボタンを透明板の背面側から支持する支持部材とを備えたものが知られている（例えば、特許文献１参照。）。
【特許文献１】実開平７−４１６８０号公報
【発明の開示】
【発明が解決しようとする課題】
【０００３】
しかしながら、前記自動販売機では、自動販売機の仕様に応じて展示室の幅方向のサイズが変わり、展示室のサイズに応じて支持部材の寸法が変わることから、自動販売機の仕様に応じてそれぞれ支持部材を製造する必要があり、支持部材の製造コストが高くつくという問題点があった。
【０００４】
本発明は前記問題点に鑑みてなされたものであり、その目的とするところは、商品選択ボタンを透明板の背面側から支持する支持部材の製造コストを低減することのできる自動販売機を提供することにある。
【課題を解決するための手段】
【０００５】
本発明は前記目的を達成するために、自動販売機本体の前面を開閉する外扉と、外扉の前面側に商品サンプルを展示する展示室と、展示室の前面に設けられた透明板と、透明板の前面側に自動販売機本体の幅方向に並ぶように設けられた複数の商品選択ボタンと、各商品選択ボタンに沿って自動販売機本体の幅方向に延びるように設けられ、各商品選択ボタンを透明板の背面側から支持する支持部材とを備えた自動販売機において、前記支持部材を、互いに自動販売機本体の幅方向に連結された複数の構成部材から形成している。
【０００６】
これにより、支持部材は自動販売機本体の幅方向に連結された複数の構成部材から形成されているので、構成部材の数量を増減することにより、支持部材が自動販売機本体の幅方向任意の寸法に形成される。
【発明の効果】
【０００７】
本発明によれば、構成部材の数量を増減することにより、支持部材を自動販売機本体の幅方向任意の寸法に形成することができ、展示室のサイズに応じてそれぞれ支持部材を製造する必要がないので、部品の共通化を図ることができ、支持部材の製造コストを低減することができる。
【発明を実施するための最良の形態】
【０００８】
図１乃至図７は本発明の一実施形態を示すもので、図１は自動販売機の斜視図、図２は外扉を開いた状態の自動販売機の斜視図、図３は自動販売機の正面図、図４は外扉の要部斜視図、図５は支持部材の要部斜視図、図６は第１構成部材及び第３構成部材の斜視図、図７は第２構成部材及び第３構成部材の斜視図である。
【０００９】
この自動販売機は、前面を開口した自動販売機本体１と、自動販売機本体１の前面の開口部を開閉する外扉２とを備えている。自動販売機本体１内には図示しない商品収納庫、商品コラム、冷却装置、加熱装置等が設けられている。また、以下の文章中で前面側とは自動販売機本体１における前面側を言い、背面側とは自動販売機本体１における背面側を言い、幅方向とは自動販売機本体１における幅方向を言う。
【００１０】
外扉２には、複数の商品サンプルＡを展示する展示室１０と、周知の硬貨投入口２０、紙幣投入口３０、硬貨返却口４０及び商品取出口５０とが設けられている。また、外扉２は、外扉２の前面側を形成している平板状の前面部２ａと、前面部２ａの上端から背面側に延びる上端部２ｂと、前面部２ａの幅方向両端から背面側に延びる一対の側面部２ｃと、前面部２ｂの下端から背面側に延びる下端部２ｄと、外扉２の背面側を覆う平板状の背面部２ｅとを有する。各商品サンプルＡは前面部２ａ、上端部２ｂ、各側面部２ｃ及び背面部２ｅによって囲まれた空間に配置されている。
【００１１】
展示室１０は外扉２の上端側に設けられ、商品サンプルＡを載置するための第１載置台１１及び第２載置台１２と、展示室１０の前面を覆う透明板１３と、透明板１３の前面に設けられた複数の商品選択ボタン１４とを有する。また、展示室１０は主な利用者である成人の目の高さに応じた位置に設けられている。
【００１２】
各載置台１１，１２は幅方向に延びるように設けられ、第１載置台１１は第２載置台１２の上方に設けられている。各載置台１１，１２は背面部２ｅの前面に固定されている。各商品サンプルＡは各載置台１１，１２に幅方向に並ぶように載置されている。
【００１３】
透明板１３はアクリル等の透明な樹脂材料から成り、外扉２における前面部２ａの開口部２ｆを閉鎖するように設けられている。
【００１４】
各商品選択ボタン１４は幅方向に２列に並ぶように設けられ、一方の列の各商品選択ボタン１４は第１載置台１１と等しい高さ位置に設けられ、他方の列の各商品選択ボタン１４は第２載置台１２と等しい高さ位置に設けられている。また、各商品選択ボタン１４は第１取付部材１４ａまたは第２取付部材１４ｂに保持されている。第１取付部材１４ａは第２取付部材１４ｂよりも上方に設けられ、透明板１３の前面側に配置されている。各取付部材１４ａ，１４ｂの背面側にはそれぞれ支持部材１５が設けられ、各支持部材１５は透明板１３の背面側に配置されている。第１取付部材１４ａは複数のボルト１４ｃによって支持部材１５に固定され、第２取付部材１４ｂは図示しない複数のボルトによって支持部材１５に固定されている。即ち、各商品選択ボタン１４は各支持部材１５によって透明板１３の背面側から支持されている。
【００１５】
支持部材１５は各取付部材１４ａ，１４ｂに沿って幅方向に延びるように設けられている。また、支持部材１５は、第１構成部材６０と、第２構成部材７０と、二つの第３構成部材８０とを有する。各構成部材６０，７０，８０は幅方向に並設され、各構成部材６０，７０，８０における並設方向の端部同士は互いに連結している。構成部材６０は自動販売機本体１の幅方向一端側に配置され、第２構成部材７０は自動販売機本体１の幅方向他端側に配置され、各第３構成部材８０は各構成部材６０，７０の間に配置されている。
【００１６】
第１構成部材６０は幅方向に延びるように形成されている。また、第１構成部材６０は、透明板１３に沿うように設けられた平板状の前面部６１と、前面部６１の下端から背面側に延びる平板状の下端部６２と、下端部６２の背面側から上方に延びる延設部６３と、前面部６１の上端から背面側に延びる平板状の上端部６４とを有する。
【００１７】
前面部６１には各商品選択ボタン１４に対応する位置にそれぞれ孔６１ａが設けられている。また、図示しない配線が下端部６２上に載置され、配線は各孔６１ａを挿通して各商品選択ボタン１４に接続されている。前面部６１には背面側に突出している突出部６１ｂが設けられている。また、前面部６１における幅方向一端側及び突出部６１ｂにはボルト１４ｃを挿通するための取付孔６１ｃが設けられている。
【００１８】
前面部６１における幅方向他端側には第１突起６１ｄ及び第２突起６１ｅが形成され、各突起６１ｄ，６１ｅは幅方向他端側に向かって延びている。また、第１突起６１ｄは第２突起６１ｅの下方に設けられている。第１突起６１ｄは背面側に向かって延びた後に幅方向他端側に向かって延びている。第１突起６１ｄにはボルト１４ｃを挿通するための切欠部６１ｆが設けられている。第２突起６１ｅは背面側に向かってわずかに延びた後に幅方向他端側に向かって延びている。前面部６１の背面は第２突起６１ｅの前面と自動販売機本体１の前後方向に位置が略一致している。
【００１９】
下端部６２の幅方向他端側には第３突起６２ａが形成され、第３突起６２ａは幅方向他端側に向かって延びている。
【００２０】
上端部６４の幅方向他端側には第４突起６４ａが形成され、第４突起６４ａは幅方向他端側に向かって延びている。
【００２１】
第２構成部材７０は幅方向に延びるように形成されている。また、第２構成部材７０は、透明板１３に沿うように設けられた平板状の前面部７１と、前面部７１の下端から背面側に延びる平板状の下端部７２と、下端部７２の背面側から上方に延びる延設部７３と、前面部７１の上端から背面側に延びる平板状の上端部７４とを有する。
【００２２】
前面部７１には各商品選択ボタン１４に対応する位置にそれぞれ孔７１ａが設けられている。また、図示しない配線が下端部７２上に載置され、配線は各孔７１ａを挿通して各商品選択ボタン１４に接続されている。前面部７１には背面側に突出している突出部７１ｂが設けられている。また、前面部７１における幅方向他端側及び突出部７１ｂにはボルト１４ｃを挿通するための取付孔７１ｃが設けられている。
【００２３】
前面部７１における幅方向一端側には第１突起７１ｄ及び第２突起７１ｅが形成され、各突起７１ｄ，７１ｅは幅方向一端側に向かって延びている。また、第１突起７１ｄは第２突起７１ｅの上方に設けられている。第１突起７１ｄは背面側に向かって延びた後に幅方向一端側に向かって延びている。第１突起７１ｄの背面は第１構成部材６０の第１突起６１ｄの前面と自動販売機本体１の前後方向に位置が略一致している。第１突起７１ｄにはボルト１４を挿通するための切欠部７１ｆが設けられている。第２突起７１ｅは背面側に向かってわずかに延びた後に幅方向一端側に向かって延びている。前面部７１の背面は第２突起７１ｅの前面と自動販売機本体１の前後方向に位置が略一致している。
【００２４】
下端部７２の幅方向一端側には切欠部７２ａが形成され、切欠部７２ａは幅方向他端側に向かって延びている。
【００２５】
前面部７１及び上端部７４の幅方向一端側からは第３突起７４ａが突出し、第３突起７４ａは幅方向一端側に向かって延びている。
【００２６】
第３構成部材８０は幅方向に延びるように形成されている。また、第３構成部材８０は、透明板１３に沿うように設けられた平板状の前面部８１と、前面部８１の下端から背面側に延びる平板状の下端部８２と、下端部８２の背面側から上方に延びる延設部８３と、前面部８１の上端から背面側に延びる平板状の上端部８４とを有する。
【００２７】
前面部８１には各商品選択ボタン１４に対応する位置にそれぞれ孔８１ａが設けられている。また、図示しない配線が下端部８２上に載置され、配線は各孔８１ａを挿通して各商品選択ボタン１４に接続されている。前面部８１には背面側に突出している突出部８１ｂが設けられ、突出部８１ｂにはボルト１４ｃを挿通するための取付孔８１ｃが設けられている。
【００２８】
前面部８１における幅方向一端側には第１突起８１ｄ及び第２突起８１ｅが形成され、各突起８１ｄ，８１ｅは幅方向一端側に向かって延びている。第１突起８１ｄは第２構成部材７０の第１突起７１ｄと同様であり、第２突起８１ｅは第２構成部材７０の第２突起７１ｅと同様である。第１突起８１ｄにはボルト１４ｃを挿通するための切欠部８１ｈが設けられている。
【００２９】
前面部８１における幅方向他端側には第３突起８１ｆ及び第４突起８１ｇが形成され、各突起８１ｆ，８１ｇは幅方向他端側に向かって延びている。第３突起８１ｆは第１構成部材６０の第１突起６１ｄと同様であり、第４突起８１ｇは第１構成部材６０の第２突起６１ｅと同様である。第３突起８１ｆにはボルト１４ｃを挿通するための切欠部８１ｉが設けられている。
【００３０】
下端部８２の幅方向一端側には切欠部８２ａが形成され、切欠部８２ａは第２構成部材７０の切欠部７２ａと同様である。下端部の幅方向他端側には第５突起８２ｂが形成され、第５突起８２ｂは第１構成部材６０の第３突起６２ａと同様である。
【００３１】
前面部８１及び上端部８４の幅方向一端側からは第６突起８４ａが突出し、第６突起８４ａは第２構成部材７０の第３突起７４ａと同様である。上端部８４の幅方向他端側には第７突起８４ｂが形成され、第４突起８４ａは第１構成部材６０の第４突起６４ａと同様である。
【００３２】
各構成部材６０，７０，８０を透明板１３に取付ける場合は、先ず、各構成部材６０，７０，８０を互いに連結する。即ち、第１構成部材６０の幅方向他端側と第３構成部材８０の幅方向一端側とを連結するとともに（図６参照）、第２構成部材７０の幅方向一端側と第３構成部材８０の幅方向他端側とを連結し（図７参照）、第１構成部材６０に連結している第３構成部材８０の幅方向他端側と第２構成部材７０に連結している第３構成部材８０の幅方向一端側とを連結する。
【００３３】
ここで、第１構成部材６０の幅方向他端側には各突起６１ｄ，６１ｅ，６２ａ，６４ａが設けられ、第２構成部材７０の幅方向一端側には各突起７１ｄ，７１ｅ，７４ａ及び切欠部７２ａが設けられている。また、第３構成部材８０の幅方向他端側には各突起８１ｄ，８１ｅ，８４ａ及び切欠部８２ａが設けられ、第３構成部材８０の幅方向一端側には各突起８１ｆ，８１ｇ，８２ｂ，８４ｂが設けられている。このため、例えば第１構成部材６０と第３構成部材８０とを連結すると（図５参照）、第１構成部材６０の第１突起６１ｄが第３構成部材８０の第１突起８１ｄに背面側から係止する。また、第１構成部材６０の前面部８１が第３構成部材８０の第２突起８１ｅに前面側から係止する。さらに、第１構成部材６０の第３突起６２ａが第３構成部材８０の切欠部８２ａに背面側から係止する。また、第１構成部材６０の第４突起６４ａが第３構成部材８０の第３突起８４ａに背面側から係止する。これにより、第１構成部材６０と第３構成部材８０とが互いに自動販売機本体１の前後方向に位置決めされる。また、第１突起６１ｄの切欠部６１ｆの位置が第１突起８１ｄの切欠部８１の位置に一致する。
【００３４】
さらに、第１構成部材６０の下端部６２は第３構成部材８０の第２突起８１ｅに下方から係止し、第１構成部材６０の第２突起６１ｅは第３構成部材８０の第３突起８４ａに下方から係止する。これにより、第１構成部材６０と第３構成部材８０とが互いに上下方向に位置決めされる。
【００３５】
第２構成部材７０と第３構成部材８０との連結部も前述と同様に係止し、第３構成部材８０同士の連結部も前述と同様に係止する。
【００３６】
互いに連結された各構成部材６０，７０，８０は各ボルト１４ｃによって透明板１３に取付けられる。詳しくは、各ボルト１４ｃは各構成部材の取付孔６１ｃ，７１ｃ，８１ｃ及び各切欠部６１ｆ，７１ｆ，８１ｈ，８１ｉを挿通するとともに、透明板１３に設けられた図示しない孔を挿通し、各取付部材１４ａ，１４ｂに螺合する。この時、第１構成部材６０の第１突起６１ｄと第３構成部材８０の第１突起８１ｄとは前後方向に重ね合わせられ、切欠部６１ｆ及び切欠部８１ｈを挿通するボルト１４ｃは第１突起６１ｄを第１突起８１ｄ側に押圧する。このため、ボルト１４ｃの押圧力によって第１構成部材６０の端部と第３構成部材８０の端部とが連結する。
【００３７】
このように、本実施形態によれば、各商品選択ボタン１４は透明板１３の背面側から支持部材１５によって支持され、支持部材１５は自動販売機本体１の幅方向に連結された複数の構成部材６０，７０，８０から形成されているので、構成部材６０，７０，８０の数量を増減することにより、支持部材１５が自動販売機本体１の幅方向任意の寸法に形成される。このため、展示室１０のサイズに応じてそれぞれ支持部材１５を製造する必要がなく、部品の共通化を図ることができ、支持部材１５の製造コストを低減することができる。
【００３８】
また、各構成部材６０，７０，８０を連結している端部同士が互いに上下方向に係止するように形成したので、各商品選択ボタン１４を押すことにより支持部材１５に上下方向に力が加わっても、各構成部材６０，７０，８０の連結部において支持部材１５が上下方向に折れ曲がることはなく、各商品選択ボタン１４を透明板１３の背面側から確実に支持することができる。また、支持部材１５を透明板１３に取付ける際に、各構成部材６０，７０，８０を互いに上下方向に位置決めすることができ、取付時の作業性を向上することができる。
【００３９】
さらに、各構成部材６０，７０，８０を連結している端部同士が互いに自動販売機本体１の前後方向に係止するように形成したので、各商品選択ボタン１４を押すことにより支持部材１５に前後方向の力が加わっても、各構成部材６０，７０，８０の連結部において支持部材１５が前後方向に折れ曲がることはなく、各商品選択ボタン１４を透明板１３の背面側から確実に支持することができる。また、支持部材１５を透明板１３に取付ける際に、各構成部材６０，７０，８０を互いに前後方向に位置決めすることができ、取付時の作業性を向上することができる。
【００４０】
また、支持部材１５を、幅方向一端側に設けられた第１構成部材６０と、幅方向他端側に設けられた第２構成部材７０と、各構成部材６０，７０の間に設けられた二つの第３構成部材８０とから構成したので、第３構成部材８０の数を増減することにより、支持部材１５の寸法を自動販売機本体１の幅方向に調整することができる。即ち、第１構成部材６０、第２構成部材７０及び第３構成部材８０の三種類の構成部材を製造することにより、支持部材１５の寸法を任意に調整することができるので、部品の共通化による製造コストの低減を図ることができる。
【００４１】
また、各構成部材６０，７０，８０の端部に設けられた各第１突起６１ｄ，７１ｄ，８１ｄ及び第３突起８１ｆが互いに重なり合うとともに、各第１突起６１ｄ，７１ｄ，８１ｄ及び第３突起８１ｆの切欠部６１ｆ，７１ｆ，８１ｈ，８１ｉに支持部材を透明板１３に取付けるための各ボルト１４ｃが挿通し、各ボルト１４ｃの押圧力によって各第１突起６１ｄ，７１ｄ，８１ｄ及び第３突起８１ｆが互いに連結することから、各構成部材６０，７０，８０を互いに連結するために専用の部材を設ける必要がなく、製造コストの低減を図る上で極めて有利である。
【００４２】
尚、本実施形態では、第１構成部材６０と第２構成部材７０との間に第３構成部材８０を配置したものを示したが、第３構成部材８０を用いずに、第１構成部材６０と第２構成部材７０とを連結させることも可能である。また、第１構成部材６０及び第２構成部材７０を用いずに、支持部材１５を複数の第３構成部材８０から形成することも可能である。
【図面の簡単な説明】
【００４３】
【図１】本発明の一実施形態を示す自動販売機の斜視図
【図２】外扉を開いた状態の自動販売機の斜視図
【図３】自動販売機の正面図
【図４】外扉の要部斜視図
【図５】支持部材の要部斜視図
【図６】第１構成部材及び第３構成部材の斜視図
【図７】第２構成部材及び第３構成部材の斜視図
【符号の説明】
【００４４】
１…自動販売機本体、２…外扉、２ａ…前面部、２ｂ…上端部、２ｃ…側面部、２ｄ…下端部、２ｅ…背面部、２ｆ…開口部、１０…展示室、１１…第１載置台、１２…第２載置台、１３…透明板、１４…商品選択ボタン、１４ａ…第１取付部材、１４ｂ…第２取付部材、１４ｃ…ボルト、１５…支持部材、２０…硬貨投入口、３０…紙幣投入口、４０…硬貨返却口、５０…商品取出口、６０…第１構成部材、６１…前面部、６１ｄ…第１突起、６１ｅ…第２突起、６２…下端部、６２ａ…第３突起、６３…延設部、６４…上端部、６４ａ…第４突起、７０…第２構成部材、７１…前面部、７１ｄ…第１突起、７１ｅ…第２突起、７２…下端部、７２ａ…切欠部、７３…延設部、７４…上端部、７４ａ…第３突起、８０…第３構成部材、８１…前面部、８１ｄ…第１突起、８１ｅ…第２突起、８１ｆ…第３突起、８１ｇ…第４突起、８２…下端部、８２ａ…切欠部、８２ｂ…第５突起、８３…延設部、８４…上端部、８４ａ…第６突起、８４ｂ…第７突起、Ａ…商品サンプル。
【図１】
2007233548.tif 000003
【図２】
2007233548.tif 000004
【図３】
2007233548.tif 000005
【図４】
2007233548.tif 000006
【図５】
2007233548.tif 000007
【図６】
2007233548.tif 000008
【図７】
2007233548.tif 000009